【事件の表示】
　特願２００３−５５９０２１「基準信号選択を使用するクロック生成の方法及び装置」拒絶査定不服審判事件〔平成１５年　７月１７日国際公開、ＷＯ０３／５８８１８、平成１７年１１月　４日国内公表、特表２００５−５３３４０４〕について、次のとおり審決する。
【結　論】
　本件審判の請求は、成り立たない。
【理　由】
第１　手続の経緯
　本願は、２００３年１月７日（パリ条約による優先権主張外国庁受理２００２年１月８日、米国）を国際出願日とする出願であって、平成１９年１０月３０日付け拒絶理由通知に対して、平成２０年３月６日付けで手続補正がされたが、同年９月２４日付けで拒絶査定がなされ、これに対し、平成２１年１月５日に拒絶査定不服の審判が請求され、同年２月４日付けで手続補正がされたものである。
　
第２　補正却下の決定
［補正却下の決定の結論］
　　平成２１年２月４日付けの手続補正を却下する。
　
［理由］
１．本願発明と補正後の発明
　上記手続補正（以下、「本件補正」という。）は補正前の特許請求の範囲の請求項１０に記載された
　
　「【請求項１０】
冗長基準信号で動作して通信サービスを提供すべく配置される冗長基準クロックシステムであって、
　第１基準信号、及び冗長基準信号である第２基準信号を受信する手段と；
　前記第１基準信号及び前記第２基準信号のそれぞれに接続して、前記第１基準信号及び前記第２基準信号が有効であるかどうかをローカルに判断し、そして前記第１基準信号及び前記第２基準信号のうちの有効な方の一つを選択して、選択された基準信号を供給する手段と；
　前記選択された基準信号に接続され、かつ制御されて、クロック信号を生成して前記冗長基準クロックシステムがクロック信号を使用できるようにするクロック発生器と；を組み合わせた形で備える、冗長基準クロックシステム。」
　
という発明（以下、「本願発明」という。）を、
　
　「【請求項１０】
冗長基準信号で動作して通信サービスを提供すべく配置される冗長基準クロックシステムであって、
　第１基準信号、及び冗長基準信号である第２基準信号を受信する手段と；
　前記第１基準信号及び前記第２基準信号のそれぞれに接続して、前記第１基準信号及び前記第２基準信号が有効であるかどうかをローカルに判断し、そして前記第１基準信号及び前記第２基準信号のうちの有効な方の一つを選択して、選択された基準信号を供給する手段と；
　前記選択された基準信号に接続され、かつ制御されて、クロック信号を生成して前記冗長基準クロックシステムがクロック信号を使用できるようにし、前記選択された基準信号はクロック発生器からのクロック信号とは切り離される、クロック発生器と；
　を組み合わせた形で備える、冗長基準クロックシステム。」
　
という発明（以下、「補正後の発明」という。）に変更することを含むものである。
　
２．新規事項の有無、補正の目的要件について
　本件補正は、願書に最初に添付した明細書又は図面に記載した事項の範囲内において、補正前の特許請求の範囲の請求項１０に記載された、「クロック発生器」に関し、「前記選択された基準信号はクロック発生器からのクロック信号とは切り離される」と限定を付加して、特許請求の範囲を減縮するものであるから、平成１４年法律第２４号改正附則第３条第１項によりなお従前の例によるとされる同法による改正前の特許法第１７条の２第３項（新規事項）及び平成１８年法律第５５号改正附則第３条第１項によりなお従前の例によるとされる同法による改正前の特許法第１７条の２第４項第２号（補正の目的）の規定に適合している。
　
３．独立特許要件について
　本件補正は特許請求の範囲の減縮を目的とするものであるから、上記補正後の発明が特許出願の際独立して特許を受けることができるものであるのかどうかについて以下に検討する。
　
（１）補正後の発明
　上記「１．本願発明と補正後の発明」の項で補正後の発明として認定したとおりである。
　
（２）引用発明
Ａ　原審の拒絶理由に引用された特開平１１−２７２４７号公報（以下、「引用例１」という。）には、図面とともに以下の事項が記載されている。
　
イ．「【０００１】
【発明の属する技術分野】本発明は、例えばパルス通信システムに用いられ、現用系と予備系の２系統を備え、これら系の切替を行う系切替方式に関する。」（２頁２欄）
　
ロ．「【００２１】図１は、本発明の系切替方式の一実施形態を示すブロック図である。本形態の系切替方式は、例えばActive系、Stanby系（以下、それぞれＡＣＴ系、ＳＢＹ系と記す。）の２系統の入力を備え、ＡＣＴ系（現用系）とＳＢＹ系（予備系）の間で系の切替を行うためのクロック切替回路２，２’を備えている。クロック切替回路２，２’は冗長構成で、本形態では、クロック切替回路２が現用系、クロック切替回路２’が予備系として用いられる。
【００２２】クロック切替回路２は、ＡＣＴ系であるクロック供給系１から出力されたクロックＣＬＫ１およびフレームパルスＦＰ１とＳＢＹ系であるクロック供給系１’から出力されたクロックＣＬＫ１’およびフレームパルスＦＰ１’とを選択的に出力するセレクタ２０と、このセレクタ２０にて選択されたクロックを入力とし、該入力信号に同期して発振するＰＬＯ（Phase Locked Oscillator）部３０と、セレクタ２０にて選択されたフレームパルスＦＰをＰＬＯ部３０にて発振されたクロックに同期させるとともに頭合わせ（情報系列の前に付加されている同期のための特殊符号（同期パターン）を入力ＦＰと出力ＦＰとの間で合わせること）を行うためのＦＰ位相合わせ部４０およびＦＰ発生器５０と、ＰＬＯ部３０における引き込みが完了するまで下位装置３，３’における現用系と予備系の切替えを禁止する位相監視部６０とを備える。予備系のクロック切替回路２’もこのクロック切替回路２と同様の構成になっているため、ここではクロック切替回路２の構成について具体的に説明する。
【００２３】セレクタ２０は、クロック供給系１，１’から出力されるＡＣＴ信号，ＡＣＴ’信号に基づいてクロックを選択するようになっており、ＡＣＴ信号が入力された場合にはクロックＣＬＫ１およびフレームパルスＦＰ１を選択し、ＡＣＴ’信号が入力された場合にはクロックＣＬＫ１’およびフレームパルスＦＰ１’を選択する。
【００２４】ＰＬＯ部３０は電圧制御発振器（ＶＣＯ）３１と、該電圧制御発振器（ＶＣＯ）３１の出力を１／Ｎ分周してクロックＣＬＫ２を出力する分周器３２と、該分周器３２の出力クロックＣＬＫ２を１／Ｎ分周してクロックＣＬＫ３を出力する分周器３３と、該分周器３３の出力クロックＣＬＫ３とセレクタ２０にて選択されたクロックとの位相を比較する位相比較部３４と、該位相比較部３４の出力（位相情報）を入力とし、該入力位相情報に基づく制御電圧を電圧制御発振器３１に出力するローパスフィルタ（ＬＰＦ）３５とから構成されている。このＰＬＯ部３０では、クロックＣＬＫ１とクロックＣＬＫ３の位相差が１８０度となるように電圧制御発振器３１が制御される。
【００２５】ＦＰ位相合わせ部４０は、分周器３３の出力クロックＣＬＫ３およびセレクタ２０にて選択されたフレームパルスＦＰを入力とし、クロックＣＬＫ３を用いてフレームパルスＦＰに同期したフレームパルスＦＰ３を生成する。ＦＰ発生部５０は、ＦＰ位相合わせ部４０にて生成されたフレームパルスＦＰ３および分周器３２の出力クロックＣＬＫ２を入力とし、クロックＣＬＫ２を用いてフレームパルスＦＰ３に同期したフレームパルスＦＰ２を生成する。
【００２６】位相監視部６０は、位相比較部３４におけるクロックＣＬＫ３とセレクタ２０にて選択されたクロックとの位相比較結果を基にＰＬＯ部３０の引き込み完了を監視するもので、引き込みが完了するまで下位装置３，３’に対し、当該クロック切替回路２から出力されるクロックおよびフレームパルスに基づくデータの読み込みを禁止する。
【００２７】上述のクロック切替回路２では、ＰＬＯ部３０の分周器３２の出力クロックＣＬＫ２とＦＰ発生部５０にて生成されたフレームパルスＦＰ２が出力される。同様に、クロック切替回路２’では、ＰＬＯ部３０’の分周器３２’の出力クロックＣＬＫ２’とＦＰ発生部５０’にて生成されたフレームパルスＦＰ２’が出力される。これらクロック切替回路２，２’の出力（クロック，フレームパルス）は、下位装置３，３’にそれぞれ入力されており、各下位装置３，３’は位相監視部６０，６０’からの制御に基づいて、各クロック切替回路２，２’からの入力の切替が制御されるようになっている。本形態では、位相監視部６０，６０’はリンクしており、ＰＬＯ部３０，３０’の引き込みが完全に終了するまで下位装置３，３’が入力切替を行わないように制御される。」（４頁５欄〜５頁７欄）
　
　上記引用例１の記載及び図面ならびにこの分野における技術常識を考慮すると、上記摘記事項イ．、ロ．の【００２１】の記載、及び図１によれば、系切替方式は、パルス通信システムに用いられるもので、現用系及び予備系クロックで動作するものである。
　また、上記摘記事項ロ．の【００２２】、【００２３】の記載、及び図１によれば、系切替方式のセレクタ（２０、２０’）は、クロック（ＣＬＫ１）、及びクロック（ＣＬＫ１’）のそれぞれに接続して、選択されたクロックを供給している。
　また、上記摘記事項ロ．の【００２４】の記載、及び図１によれば、系切替方式のＰＬＯ部（３０、３０’）は、選択されたクロックに接続され、かつ制御されて、クロック（ＣＬＫ２、ＣＬＫ２’）を生成して系切替方式がクロック（ＣＬＫ２、ＣＬＫ２’）を使用できるようにしている。
　
　したがって、上記引用例１には、以下の発明（以下、「引用発明１」という。）が開示されている。
　
　「現用系及び予備系クロックで動作してパルス通信システムに用いられる系切替方式であって、
　クロック（ＣＬＫ１）、及びクロック（ＣＬＫ１’）のそれぞれに接続して、選択されたクロックを供給するセレクタ（２０、２０’）と；
　前記選択されたクロックに接続され、かつ制御されて、クロック（ＣＬＫ２、ＣＬＫ２’）を生成して前記系切替方式がクロック（ＣＬＫ２、ＣＬＫ２’）を使用できるようにするＰＬＯ部（３０、３０’）と；
　を組み合わせた形で備える、系切替方式。」
　
Ｂ　原審の拒絶理由に引用された特開昭６３−１９１４３４号公報（以下、「引用例２」という。）には、図面とともに以下の事項が記載されている。
　
ハ．「（１）発明の属する技術分野
　本発明は、伝送装置などにおいて外部から現用系と予備系との２系統のクロック信号を受信してクロック信号を再生し、装置に供給するクロック回路に関するものである。」（１頁右下欄３〜７行）
　
ニ．「第１図は本発明の第一の実施例を説明する図であって、１は現用系クロック信号受信回路、２は予備系クロック信号受信回路、３はクロック選択回路、４はクロック選択制御回路、５はクロック再生回路、６は現用系入力信号線、７は現用系内部信号線、８は現用系クロック断信号線、９は予備系入力信号線、１０は予備系内部信号線、１１は予備系クロック断信号線、１２は現用系／予備系クロック切り替え信号線、１３は現用系／予備系選択結果の出力信号線、１４は再生クロック出力信号線、１５はプロセッサへの報告用信号線、１６はバスである。
　これを動作させるには、現用系クロック信号が信号線６、回路１、信号線７を経てクロック選択回路３に入力する。一方、予備系クロック信号が信号線９、回路２、信号線１０を経てクロック選択回路３に入力する。現用系のクロック信号の断は回路１で検出し信号線８を経て、クロック選択制御回路４に入力する。予備系のクロック信号の断は回路２で検出し、信号線１１を経てクロック選択制御回路４に入力する。クロック選択制御回路４は現用系のクロック信号に断が生じると予備系のクロック信号を選択する指示をクロック選択回路３に与える。」（２頁右上欄１７行〜右下欄２行）
　
　上記引用例２の記載及び図面ならびにこの分野における技術常識を考慮すると、上記摘記事項ハ．、ニ．の記載、及び第１図によれば、クロック回路は、現用系クロック信号受信回路（１）、予備系クロック信号受信回路（２）、クロック選択制御回路（４）、及びクロック選択回路（３）を備えている。
　また、現用系クロック信号受信回路（１）及び予備系クロック信号受信回路（２）は、現用系クロック信号及び予備系クロック信号が有効であるかどうかを検出し、そしてクロック選択制御回路（４）及びクロック選択回路（３）は、現用系クロック信号及び予備系クロック信号のうちの有効な方の一つを選択している。
　ここで、現用系クロック信号受信回路（１）、予備系クロック信号受信回路（２）、クロック選択制御回路（４）、及びクロック選択回路（３）を、まとめて、選択されたクロックを供給する手段ということができる。
　
　したがって、上記引用例２には、以下の発明（以下、「引用発明２」という。）が開示されている。
　
　「現用系クロック信号及び予備系クロック信号が有効であるかどうかを検出し、そして現用系クロック信号及び予備系クロック信号のうちの有効な方の一つを選択する、選択されたクロックを供給する手段を備えるクロック回路。」
　
（３）対比・判断
　補正後の発明と引用発明１とを対比する。
ａ．引用発明１の「現用系及び予備系クロック」、「クロック（ＣＬＫ１）」、「クロック（ＣＬＫ１’）」、「選択されたクロック」、「クロック（ＣＬＫ２、ＣＬＫ２’）」、及び「ＰＬＯ部（３０、３０’）」は、その機能において、補正後の発明の「冗長基準信号」、「第１基準信号」、「冗長基準信号である第２基準信号」、「選択された基準信号」、「クロック信号」、及び「クロック発生器」にそれぞれ相当する。
ｂ．引用発明１の「パルス通信システムに用いられる」は、パルス通信システムは、通信サービスを提供するから、系切替方式は、通信サービスを提供すべく配置されるものということができる。
ｃ．引用発明１の「系切替方式」は、冗長基準クロックシステムの一種である。
　
　したがって、補正後の発明と引用発明１は、以下の点で一致ないし相違している。
　
（一致点）
　
　「冗長基準信号で動作して通信サービスを提供すべく配置される冗長基準クロックシステムであって、
　前記第１基準信号及び前記第２基準信号のそれぞれに接続して、選択された基準信号を供給する手段と；
　前記選択された基準信号に接続され、かつ制御されて、クロック信号を生成して前記冗長基準クロックシステムがクロック信号を使用できるようにするクロック発生器と；
　を組み合わせた形で備える、冗長基準クロックシステム。」
　
（相違点１）
　
　補正後の発明は、「第１基準信号、及び冗長基準信号である第２基準信号を受信する手段」を備えるのに対し、引用発明１は、「第１基準信号、及び冗長基準信号である第２基準信号を受信する手段」を備えるか不明な点。
　
（相違点２）
　
　「選択された基準信号を供給する手段」に関し、
　補正後の発明は、「前記第１基準信号及び前記第２基準信号が有効であるかどうかをローカルに判断し、そして前記第１基準信号及び前記第２基準信号のうちの有効な方の一つを選択して」いるのに対し、引用発明１は、「前記第１基準信号及び前記第２基準信号が有効であるかどうかをローカルに判断し、そして前記第１基準信号及び前記第２基準信号のうちの有効な方の一つを選択して」いない点。
　
（相違点３）
　
　「クロック発生器」に関し、
　補正後の発明は、「前記選択された基準信号はクロック発生器からのクロック信号とは切り離される」のに対し、引用発明１は、その様な構成を備えるか不明な点。
　
　そこで、まず、上記相違点１について検討する。
　クロック回路一般において、クロックを受信する手段を設けることは周知であるから、引用発明１に周知技術を適用して、補正後の発明のように「第１基準信号、及び冗長基準信号である第２基準信号を受信する手段」を備えることは単なる周知技術の付加にすぎない。
　
　次に、上記相違点２について検討する。
　引用発明２の「現用系クロック信号」、「予備系クロック信号」、及び「検出」は、それぞれ「第１基準信号」、「第２基準信号」、及び「判断」にそれぞれ相当するから、引用発明１に引用発明２を適用し、「前記第１基準信号及び前記第２基準信号が有効であるかどうかを判断し、そして前記第１基準信号及び前記第２基準信号のうちの有効な方の一つを選択する」ことは当業者が容易に成し得ることである。また、その際、「判断」に関し、システム全体から見れば、局部的であるから、「ローカルに」判断するということができることは当然である。
　
　次に、上記相違点３について検討する。
　引用発明１は、「前記選択されたクロックに接続され、かつ制御されて、クロック（ＣＬＫ２、ＣＬＫ２’）を生成して前記系切替方式がクロック（ＣＬＫ２、ＣＬＫ２’）を使用できるようにするＰＬＯ部（３０、３０’）」であるところ、上記引用例１の上記摘記事項ロ．の【００２４】の記載、及び図１によれば、ＰＬＯ部（３０、３０’）は、それ自体制御されて発振する位相同期回路であるから、補正後の発明のように「前記選択された基準信号はクロック発生器からのクロック信号とは切り離される」構成を備えることは当然である。
　
　そして、補正後の発明の作用効果も、引用発明１、２及び周知技術から当業者が容易に予測できる範囲のものである。
　
　以上のとおり、補正後の発明は引用発明１、２及び周知技術に基づいて容易に発明できたものであるから、特許法第２９条第２項の規定により、特許出願の際独立して特許を受けることができないものである。
　
４．結語
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
第３　本願発明について
１．本願発明
　平成２１年２月４日付けの手続補正は上記のとおり却下されたので、本願発明は、上記「第２　補正却下の決定　１．本願発明と補正後の発明」の項で「本願発明」として認定したとおりである。
　
２．引用発明
　引用発明は、上記「第２　補正却下の決定」の項中の「３．独立特許要件について」の項中の「（２）引用発明」の項で認定したとおりである。
　
３．対比・判断
　本願発明は上記補正後の発明から当該本件補正に係る限定を省いたものである。
　そうすると、本願発明の構成に当該本件補正に係る限定を付加した補正後の発明が、上記「第２　補正却下の決定」の項中の「３．独立特許要件について」の項で検討したとおり、引用発明１、２及び周知技術に基づいて容易に発明できたものであるから、本願発明も同様の理由により、容易に発明できたものである。
　
４．むすび
　以上のとおり、本願発明は、引用発明１、２及び周知技術に基づいて当業者が容易に発明をすることができたものと認められるから、特許法第２９条第２項の規定により特許を受けることができない。
　
　よって、結論のとおり審決する。